(57)【要約】【課題】容易にコンテンツを固定する作業を行えるようにする骨組構造体を提供する。【解決手段】  骨組構造体１は、人の活動空間に設置される、マス目Ｓ１〜Ｓ９をもつフレーム構造体６と、マス目Ｓに着脱可能に固定されるコンテンツ構造体Ｃ１〜Ｃ９と、を備えている。この構成によれば、例えば建具又は家具のようなコンテンツを含むコンテンツ構造体Ｃ１〜Ｃ９を、フレーム構造体６のマス目Ｓに対して自在に固定することができる。そしてコンテンツを新しいものに交換する場合、容易にコンテンツを交換することができる。【選択図】図３
2020148085.tif 000002
【特許請求の範囲】
【請求項１】
人の活動空間に設置される、マス目をもつフレーム構造体と、
前記マス目に着脱可能に固定されるコンテンツ構造体と、を備えている骨組構造体。
【請求項２】
人の活動空間に設置される、マス目をもつフレーム構造体と、
前記フレーム構造体内部にて前記マス目に、電源から供給された電力を伝える給電線と、を備えている、骨組構造体。
【請求項３】
前記マス目は、大きさが調整可能である、請求項１又は２に記載の骨組構造体。
【請求項４】
前記フレーム構造体は、前記人の活動空間の間仕切りとして使用可能である、請求項１乃至３の何れか１項のいずれかに記載の骨組構造体。
【請求項５】
前記マス目は、前記フレーム構造体の厚さ方向に向けて開口しており、前記コンテンツ構造体は、前記マス目に嵌め込まれることで前記マス目に固定される、請求項１に記載の骨組構造体。
【請求項６】
前記コンテンツ構造体を前記マス目に固定するための固定構造を有しており、前記固定構造は、前記フレーム構造体の内側から前記コンテンツ構造体を前記フレーム構造体に固定する、請求項１に記載の骨組構造体。
【請求項７】
前記フレーム構造体は、複数のマス目を備え、前記固定構造は、前記複数のマス目の少なくとも一部において同一構造を有している、請求項６に記載の骨組構造体。
【請求項８】
前記固定構造は、前記コンテンツ構造体に対して前記フレーム構造体の厚さ方向の力を作用させることで前記コンテンツ構造体を固定し、又は前記コンテンツ構造体の固定を解除する、請求項６又は７に記載の骨組構造体。
【請求項９】
前記フレーム構造体は、当該フレーム構造体の厚さ方向に間隔をもって配置される２つのフレームを有している、請求項１乃至８の何れか１項のいずれかに記載の骨組構造体。
【請求項１０】
前記フレーム構造体の２つのフレームは、少なくとも一部のマス目が同一の形状を有している、請求項９に記載の骨組構造体。
【請求項１１】
前記フレーム構造体は、複数本の柱と、当該柱の間に延びる複数本の梁を備えており、前記給電線は、前記柱に沿って配置されている、請求項２に記載の骨組構造体。
【請求項１２】
前記給電線は、柱、又は梁の表面の少なくとも一方に印刷された配線である、請求項２に記載の骨組構造体。
【請求項１３】
前記給電線は、前記フレーム構造体を形成する柱又は梁の少なくとも一方に沿って延びるラインコンセントである、請求項２に記載の骨組構造体。
【発明の詳細な説明】
【技術分野】
【０００１】
本発明は骨組構造体に関し、特に人の活動空間内に設置される骨組構造体に関する。
【背景技術】
【０００２】
以前より、壁にデザインパネルのような建具、家具、又はテレビのような電気製品含む所定のコンテンツを固定し、又は埋め込むことが行われている（例えば、特許文献１乃至３）。
【先行技術文献】
【特許文献】
【０００３】
【特許文献１】特開２０１３−１０８２９２号公報
【特許文献２】特開２０１２−７４１７号公報
【特許文献３】特開２００１−１４６８８３号公報
【発明の概要】
【発明が解決しようとする課題】
【０００４】
既存の壁に上述したコンテンツを固定する場合、既存の壁を一旦破壊し、コンテンツを配置してから、再度下地材を造成し壁紙を貼る等の表面処理を行う必要があった。
【０００５】
また、上述した方法で一旦、壁にコンテンツを組み込んでしまうと、例えば新しい電気製品を購入した場合に、再度同様の工事を行って古い電気製品を取り外してから新しい電気製品の配線を処理し、固定する必要があった。
【０００６】
本発明は上記課題を解決するためになされたものであり、容易にコンテンツを固定する作業を行えるようにする骨組構造体を提供することを目的とする。
【課題を解決するための手段】
【０００７】
上記課題を解決するために、本発明のある態様にかかる骨組構造体は、人の活動空間に設置される、マス目をもつフレーム構造体と、マス目に着脱可能に固定されるコンテンツ構造体と、を備えている。
【図面の簡単な説明】
【０００８】
【図１】第１の実施形態による骨組構造体を備える部屋の斜視図である。
【図２】第１の実施形態による骨組構造体の斜視図である。
【図３】第１の実施形態による骨組構造体のフレーム構造体を示す斜視図である。
【図４】第１の実施形態による骨組構造体のフレーム構造体の一部を示す斜視図である。
【図５】第１の実施形態による骨組構造体のコンテンツ構造体の斜視図である。
【図６】第１の実施形態による骨組構造体の固定構造の斜視図である。
【図７】第１の実施形態による骨組構造体の固定構造の斜視図である。
【図８】第１の実施形態の変形例による固定構造の斜視図である。
【図９】第１の実施形態の変形例による固定構造の側断面図である。
【図１０】第１の実施形態による骨組構造体の変形例を示す斜視図である。
【図１１】第２の実施形態による骨組構造体を示す正面図である。
【図１２】第２の実施形態の変形例による骨組構造体の正面図である。
【図１３】第２の実施形態の変形例による骨組構造体の拡大断面図である。
【図１４】第２の実施形態の変形例による骨組構造体の拡大図である。
【図１５】第２の実施形態の変形例による電動コンテンツ構造体及び骨組構造体の斜視図である。
【発明を実施するための形態】
【０００９】
以下、本発明の実施形態について説明する。なお、以下の実施形態の説明では、骨組構造体を居室内で使用する場合を例に挙げるが、本発明は、例えば商業施設内、建物のテラスのような屋外空間を含む様々な人の活動空間に設置される骨組構造体に適用可能である。また、以下では活動空間を水平方向に仕切るために骨組構造体を利用する例を説明するが、例えば天井や床のように活動空間を鉛直方向に仕切るために骨組構造体を使用してもよい。
【００１０】
〔骨組構造体の構成〕
図１は、第１の実施形態による骨組構造体を備える部屋の斜視図である。図１に示すように、骨組構造体１は、隣接する２つの部屋２，４を仕切るように２つの部屋２，４の間に設置される。骨組構造体１は、全体的に板形状を有しており板形状の２つの主面のそれぞれが２つの部屋２，４の壁面を形成している。骨組構造体１の寸法は用途に応じて適宜設定可能であり、例えば骨組構造体１を、２つの部屋２，４を完全に仕切るために使用する場合には、部屋２，４の天井高さ及び幅と一致する高さ及び幅とすることができる。また、骨組構造体１を２つの部屋２，４を部分的に仕切るために使用する場合には、部屋２，４の天井高さ及び幅よりも小さい高さ及び幅とすることができる。
【００１１】
図２は、骨組構造体の斜視図である。図２に示すように骨組構造体１は、フレーム構造体６と、フレーム構造体６に着脱可能に固定される複数のコンテンツ構造体Ｃ１〜Ｃ９（以下、コンテンツ構造体を総称する場合には、単に「コンテンツ構造体Ｃ」ということがある）とを備えている。図２に示す例では、コンテンツ構造体Ｃとして、照明器具Ｃ１〜Ｃ３、デザインパネルＣ４，Ｃ５，Ｃ７，Ｃ８、薄型テレビを含むアタッチメントＣ６、及び開き扉Ｃ９がフレーム構造体６に固定されている。
【００１２】
〔フレーム構造体の構成〕
図３は、骨組構造体のフレーム構造体を示す斜視図である。図３に示すように、フレーム構造体６は、厚さ方向又は主面と垂直な方向からみたときに長方形の外形を有しており、複数本の柱Ｐ１〜Ｐ５（以下、柱を総称する場合には、単に「柱Ｐ」ということがある）と複数本の梁Ｂ１〜Ｂ５（以下、梁を総称する場合には、単位「梁Ｂ」ということがある）とを格子状に組み合わせて作られている。柱Ｐ及び梁Ｂを形成するための材料としては、アルミ、樹脂、鉄、スチール、カーボン、ステンレス等を用いることができる。図３に示すフレーム構造体６は、５本の柱Ｐ１〜Ｐ５と、５本の梁Ｂ１〜Ｂ５とを組み合わせて作られている。また、フレーム構造体６は、垂直方向に延びる柱Ｐ１〜Ｐ５と、水平方向に延びる梁Ｂ１〜Ｂ５によって、一部又は全部が囲まれた空間によって形成されるマス目Ｓ１〜Ｓ９（以下、マス目を総称する場合には、単に「マス目Ｓ」ということがある）を有している。９個のマス目Ｓ１〜Ｓ９は、柱Ｐ１〜Ｐ５及び梁Ｂ１〜Ｂ５の配置によって同一又は異なる開口面積を有している。これら９個のマス目Ｓ１〜Ｓ９は、フレーム構造体６の主面方向に開口しており、コンテンツ構造体Ｃ１〜Ｃ９は、それぞれのマス目Ｓ１〜Ｓ９に嵌め込まれることで固定される。なお、本実施形態では、フレーム構造体６が９個のマス目を有しているものとするが、マス目の数は１個以上であれば幾つでも良い。また、本実施形態では、１つのマス目Ｓに対して１個のコンテンツ構造体Ｃを固定することとするが、１つのマス目Ｓに対して複数のコンテンツ構造体Ｃを固定しても良い。
【００１３】
フレーム構造体６の垂直方向の最上段に配置された３個のマス目Ｓ１〜Ｓ３は、比較的高さが低くかつ同一の幅を有している。また、水平方向の一方の端にあるマス目の列（図３に示す例では、最も右側の列）は、最上段の１個のマス目Ｓ３に加えて、最上段の１個のマス目Ｓ１の底辺を構成する梁Ｂ２から骨組構造体１の底部を構成する梁Ｂ５に至る高さを有する縦長の１個のマス目Ｓ９を有している。このマス目Ｓ９は、例えば骨組構造体１によって仕切られている２個の部屋２，４を行き来するためのマス目として使用することができ、このマス目Ｓ９には、必要に応じてコンテンツとして扉を固定することができる。
【００１４】
また、水平方向の他方の端側にある２列は、最上段の水平方向に並んだ２個のマス目Ｓ１，Ｓ２に加えて、扉用のマス目Ｓ９の高さの三分の一の高さを有する５個のマス目Ｓ４〜Ｓ８を有している。これら５個のマス目Ｓ４〜Ｓ８のうち、垂直方向中央にある１個のマス目Ｓ６は、水平方向の一方の端にある扉用のマス目Ｓ９の列から他方の端に至る幅を有しており、他の４個のマス目Ｓ４，Ｓ５，Ｓ７，Ｓ８の約２倍の幅を有している。
【００１５】
以上のように９個のマス目Ｓ１〜Ｓ９のうち、最上段に配置された３個のマス目Ｓ１〜Ｓ３は、それぞれ同一の形状を有している。また、水平方向の他方の端側にある５個のマス目Ｓ４〜Ｓ８のうち、４個のマス目Ｓ４，Ｓ５，Ｓ７，Ｓ８は同一の形状を有している。なお、図３に示す、９個Ｓ１〜Ｓ９のマス目を有するフレーム構造体６は例示に過ぎず、柱Ｐ及び梁Ｂの数、マス目Ｓの数、並びにマス目の形状は、使用目的に応じて適宜変更可能である。マス目の形状に関して、図３に示す例ではマス目の形状が四角形であるものとしているが、マス目の形状としては丸型、三角形等を採用しても良い。
【００１６】
また、上述の例では、梁Ｂと柱Ｐの位置を所定位置に定めることによりマス目Ｓの幅及び高さが、梁Ｂと柱Ｐの位置に応じて一定になるものとした。しかしながら、梁Ｂ又は柱Ｐの位置を調整可能なものとすることで、マス目Ｓの大きさを調整可能にしてもよい。マス目Ｓの大きさを調整可能にするとは、マス目の高さ又は幅の少なくとも一方を調整可能にすることによりマス目Ｓの大きさ（開口面積）を調整可能にすることをいう。例えば、図３の例で説明すると、例えば柱Ｐ２と柱Ｐ３の鉛直方向の間に柱を追加してマス目Ｓ６の大きさを調整したり、柱Ｐ２を柱Ｐ１側にずらして柱Ｐ２と柱Ｐ４の間に柱を追加してマス目Ｓ５の大きさを調整したりできるようにしても良い。また、柱Ｐ２を取り除いてマス目Ｓ４とマス目Ｓ５とを一つの大きなマス目としても良い。
【００１７】
図４は、骨組構造体１のフレーム構造体６の一部を示す斜視図である。より具体的には図４は、フレーム構造体を形成する柱Ｐと梁Ｂの連結部を示す。柱Ｐと梁Ｂは、それぞれ、軸方向に沿って複数個配列されたビス孔８を有している。柱Ｐと梁Ｂには、Ｌ字形状の連結金具１０を介してビス１２が挿入され、これにより柱Ｐと梁Ｂが連結される。
【００１８】
〔コンテンツ構造体の構成〕
図５は、骨組構造体１のコンテンツ構造体Ｃの斜視図である。コンテンツ構造体Ｃは、使用者がフレーム構造体６に取り付けようとしている様々なコンテンツを、フレーム構造体６の各マス目Ｓに固定できるようにする。図５の例では、コンテンツ構造体Ｃは、薄型テレビ１４をフレーム構造体６に固定するためのアタッチメント１６である。コンテンツ構造体Ｃとしてのアタッチメント１６は、任意のマス目Ｓ（この例では、水平方向中央、かつ垂直方向中央の幅広なマス目Ｓ６）に嵌め込める外形を有する枠体である。そしてアタッチメント１６には、薄型テレビ１４が固定可能となっている。アタッチメント１６は、薄型テレビ１４の寸法や、型式等に応じて設計されており、マス目Ｓ６の寸法と一致していない外形を有する薄型テレビ１４を、マス目Ｓ６の寸法に適合させる。
【００１９】
コンテンツ構造体Ｃは、先述した薄型テレビ用のアタッチメント１６に限られるものではない。コンテンツ構造体Ｃとして、例えば、ステレオ、スピーカー等のオーディオ機器用のアタッチメント、照明器具用のアタッチメント、液晶ディスプレイ又は有機ディスプレイのようなディスプレイ装置、プロジェクター、タッチパネル、音声入力センサ、ジェスチャセンサ、スマートプロジェクタのようなセンサ式入力装置、ＩｏＴコントロールパネルを用いてもよい。また、コンテンツ構造体Ｃとしては特定の機器用のアタッチメントではなく、コンテンツ構造体Ｃ自体が機能を有するものであってもよい。このような機能を有するコンテンツ構造体Ｃとしては、例えば、化粧シート、デジタルプリント壁紙、塗装等を基板に施したもの、抗菌、抗ウィルス、抗アレルギー、害虫忌避、調湿、調光等の機能を有するもの、抗菌作用等を有する機能性パネル、パネルの表面に手摺やコート掛け等が取り付けられている機能性家具、パネルの表面に収納型の椅子、テーブル、ベッド等が取り付けられた収納型家具が挙げられる。また、コンテンツ構造体Ｃとして、上述した電気製品の電源となる蓄電池を採用しても良い。そしてコンテンツ構造体Ｃとして蓄電池を採用した場合、上述した家電製品を駆動するための電源を確保できることに加えて、他の製品を骨組構造体１と一緒に使用することができる。このような製品の例としては、例えば、部屋２，４に配置する吊り下げ式のベッドがある。この場合、ベッドを上下動させるためのモーターの電源として、骨組構造体１内に備えられた蓄電池を用いることができる。このようなコンテンツ構造体Ｃは、固定構造を用いてフレーム構造体６に着脱可能に固定される。
【００２０】
なお、上記の例では、コンテンツ構造体Ｃの大きさと１つのマス目Ｓの大きさをほぼ同じとし、１つのマス目Ｓに対して１つのコンテンツ構造体Ｃを固定することとした。しかしながら、例えばコンテンツ構造体Ｃの幅をマス目Ｓの開口の幅の半分にし、１つのマス目Ｓに対して２つのコンテンツ構造体Ｃを固定してもよい。
【００２１】
〔固定構造の構成〕
図６及び図７は、骨組構造体の固定構造の斜視図である。固定構造は、図６に示すようなフレーム構造体６に固定された雌部材１８と、図７に示すようなコンテンツ構造体Ｃに固定された雄部材２０とを備えている。雌部材１８と雄部材２０は、雄部材２０を雌部材１８に押し込むことで雄部材２０が雌部材１８に対して固定され、又は固定が解除される関係を有しており、例えばプッシュラッチを用いることができる。
【００２２】
雌部材１８は、例えばフレーム構造体６の柱Ｐの側面、又は梁Ｂの上面若しくは下面のうち予め決定された位置に固定されている。雌部材１８は、四角形のマス目Ｓの全ての角付近に１個ずつ、合計４個設けることができる。また、マス目Ｓの形状が縦長であるか、横長である場合には、長辺に沿って２個以上の雌部材１８を設けてもよい。さらに、マス目Ｓの両方の開口からコンテンツ構造体Ｃの雄部材２０を受け入れて２つのコンテンツ構造体Ｃを１つのマス目Ｓの両側に固定できるように、複数の雌部材１８を互いに反対側に向けて配置しても良い。また雄部材２０は、コンテンツ構造体Ｃの背面、即ちコンテンツ構造体Ｃをフレーム構造体６に固定したときに表面に露出しない側の面に固定されている。そして雄部材２０は、コンテンツ構造体Ｃをフレーム構造体６に固定する際に、フレーム構造体６側に設けられた雌部材１８と係合可能な位置に複数個設けられている。雌部材１８をフレーム構造体６の柱Ｐの側面、又は梁Ｂの上面若しくは下面に設け、かつ雄部材２０をコンテンツ構造体Ｃの背面に設けることで、フレーム構造体６のマス目の内側からコンテンツ構造体Ｃを固定することが可能となる。
【００２３】
図８は、変形例による固定構造の斜視図である。固定構造としては、先述した雌部材１８と雄部材２０とを備えるプッシュラッチの他に、図８に示すように、フレーム構造体６にラッチマグネット２２を固定し、コンテンツ構造体Ｃに金属プレートを固定した構造を用いても良い。このようなラッチマグネットによっても、コンテンツ構造体Ｃをフレーム構造体６の内側から固定することができ、かつフレーム構造体６の厚さ方向に力を作用させることでコンテンツ構造体Ｃを固定し、又は固定を解除することができる。
【００２４】
さらなる変形例として、骨組構造体１の複数のマス目Ｓのうち、一部のマス目Ｓに雌部材１８及び雄部材２０からなるプッシュラッチを含む固定構造を用い、残りのマス目Ｓについてラッチマグネット２２を含む固定構造を用いても良い。
【００２５】
図９は、固定構造のさらなる変形例の側断面図である。図９には、いわゆるケンドン式の固定構造を用いた例を示す。例えば図９（ａ）に示すように、ケンドン式の固定構造では、マス目Ｓを構成する上側の梁Ｂに下向きに開口し、かつマス目の幅にわたって延びる溝Ｇ１を形成し、下側の梁Ｂに上向きに開口し、かつマス目の幅方向にわたって延びる溝Ｇ２を形成して、上下の溝Ｇ１，Ｇ２にコンテンツ構造体Ｃ側に設けられた取付具Ａ１，Ａ２を嵌め込む構造である。この場合、上側の溝Ｇ１の頂面Ｔ１と、下側の溝Ｇ２の底面Ｔ２の間の距離を、コンテンツ構造体Ｃに設けられた取付具Ａ１の頂面Ｔ３と取付具Ａ２の底面Ｔ４との距離よりも長くし、かつマス目Ｓの開口高さをコンテンツ構造体Ｃの取付具Ａ１の頂面Ｔ３と取付具Ａ２の底面Ａ４との間の距離よりも短くする。また、コンテンツ構造体Ｃの取付具Ａ１及びＡ２の厚さは、上下の溝Ｇ１，Ｇ２の幅よりも薄い。コンテンツ構造体Ｃを固定する場合には、まず、図９（ｂ）に示すように、コンテンツ構造体Ｃの上側の取付具Ａ１だけを、上側の溝Ｇ１に嵌める。次いで、上側の取付具Ａ１の頂面Ｔ３が上側の溝の頂面Ｔ１に当たるまでコンテンツ構造体Ｃを持ち上げる。このとき、コンテンツ構造体Ｃの下側の取付具Ａ２の底面Ｔ４は、下側の梁Ｂの上面よりも上側に位置する。次いで、図９（ｃ）に示すようにコンテンツ構造体Ｃの下側の取付具Ａ２を下側の溝Ｇ２に嵌める。次いで、図９（ｄ）に示すように、コンテンツ構造体Ｃの下側の取付具Ａ２の底面Ｔ４が下側の溝Ｇ２の底面Ｔ２に接するように、コンテンツ構造体Ｃを載置する。これにより、コンテンツ構造体Ｃを上下の梁Ｂの間に固定することができる。コンテンツ構造体Ｃを外す場合には、コンテンツ構造体Ｃを上側に持ち上げ、下側の取付具Ａ２を下側の溝Ｇ２から外す（図９（ｃ）参照）。次いで、コンテンツ構造体Ｃを傾斜させてコンテンツ構造体Ｃの下部だけを手前側に引き出す（図９（ｂ）参照）。次いで、コンテンツ構造体Ｃを下側に移動させることで、上側の取付具Ａ１を上側の溝Ｇ１から外すことができる（図９（ａ）参照）。
【００２６】
また、さらなる変形例として、コンテンツ構造体Ｃを、柱Ｐ又は梁Ｂの少なくとも一方の正面に固定することも考えられる。この場合、柱Ｐ又は梁Ｂの少なくとも一方の正面側の面に、軸方向に延び、一定の深さを有する溝を形成する。コンテンツ構造体Ｃの背面には、溝に適合する形状及び寸法を有する係合片を形成する。コンテンツ構造体Ｃを固定する場合には、係合片を溝に挿入する。
【００２７】
〔作用〕
次に、骨組構造体１の作用について説明する。まず、使用者は、部屋２，４の寸法や、部屋２，４を完全に仕切りたいのか否か等を考慮して、適切な寸法の骨組構造体１を準備する。ここでは、図２に示す骨組構造体１を準備し、所定位置に設置したものとする。次いで、使用者は、骨組構造体１に組み込みたいコンテンツを選択し、選択したコンテンツに対応するコンテンツ構造体Ｃを準備する。ここでは、２つの部屋の間を行き来するための開き扉Ｃ９、薄型テレビ１４、照明器具Ｃ１〜Ｃ３、デザインパネルＣ４，Ｃ５，Ｃ７，Ｃ８及び薄型テレビ１４が固定されたアタッチメント１６を選択したものとする。
【００２８】
コンテンツ構造体Ｃを固定する順序は特に限定されないが、使用者は、まず、開き扉Ｃ９を扉用のマス目Ｓ９に固定する。この場合、開き扉Ｃ９の枠に設けられている複数の雄部材２０と、マス目Ｓ９側に設けられている複数の雌部材１８との位置を合わせる。そして開き扉Ｃ９全体を、骨組構造体１の厚さ方向に向けて押し込むことで雌部材１８と雄部材２０とを係合させる。これにより開き扉Ｃ９を骨組構造体１に固定することができる。
【００２９】
次に、使用者は、選択した薄型テレビ１４及び設置したいマス目の寸法に適合するアタッチメント１６を準備し、薄型テレビ１４をアタッチメント１６に固定する。そして使用者は、薄型テレビ１４が固定されているアタッチメント１６の複数の雄部材２０を、薄型テレビ１４を固定したいマス目Ｓ６の複数の雌部材１８と位置合わせする。そして使用者は、アタッチメント１６を骨組構造体１の厚さ方向に押し込む。これによりアタッチメント１６の複数の雄部材２０と、フレーム構造体６の複数の雌部材１８とが係合し、アタッチメント１６を介して薄型テレビ１４を骨組構造体１に固定することができる。
【００３０】
次に、使用者は、選択した照明器具Ｃ１〜Ｃ３を準備し、照明器具Ｃ１〜Ｃ３をフレーム構造体６の最上段の３個のマス目Ｓ１〜Ｓ３に固定する。この場合、使用者は、最上段のそれぞれのマス目Ｓ１〜Ｓ３について、照明器具Ｃ１〜Ｃ３の雄部材２０とフレーム構造体６の雌部材１８とを係合させることで照明器具Ｃ１〜Ｃ３をフレーム構造体６に固定する。
【００３１】
次に、使用者は、所望のデザインが施されたデザインパネルＣ４，Ｃ５，Ｃ７、Ｃ８を準備する。そしてコンテンツ構造体Ｃが取り付けられていない残りの４個のマス目Ｓ４，Ｓ５，Ｓ７，Ｓ８に対して、それぞれデザインパネルＣ４，Ｃ５，Ｃ７、Ｃ８を固定する。
【００３２】
以上のような作業により、フレーム構造体６の一方の主面の全てのマス目にコンテンツ構造体Ｃを固定することができる。また、この状態では、フレーム構造体６のもう一方の主面側にはマス目Ｓの開口を通してコンテンツ構造体Ｃの背面が露出していることとなる。そしてコンテンツ構造体Ｃの背面が露出しているのが好ましくない場合、即ちコンテンツ構造体Ｃの背面が隣接する部屋の壁を構成している場合等には、フレーム構造体６の背面側からも、同様の手法によりデザインパネル等のコンテンツ構造体Ｃをフレーム構造体６に固定してもよい。
【００３３】
また、コンテンツ構造体Ｃを交換する場合には、まず既存のコンテンツ構造体Ｃをフレーム構造体６から取り外す。この場合、使用者はコンテンツ構造体Ｃをフレーム構造体６の内側、即ち厚さ方向に向けて押し込む。これにより、プッシュラッチとして形成されている雌部材１８と雄部材２０との固定が解除される。これにより、コンテンツ構造体Ｃをフレーム構造体６から取り外すことができる。そして、コンテンツ構造体Ｃが取り外されたマス目Ｓに、所望の新しいコンテンツ構造体Ｃを固定する。これにより、コンテンツ構造体Ｃを交換することができる。
【００３４】
以上のように本発明の第１の実施形態によれば、複数のマス目Ｓ１〜Ｓ９をもつフレーム構造体６と、複数のマス目Ｓ１〜Ｓ９に着脱可能に固定されるコンテンツ構造体Ｃ１〜Ｃ９とを備える骨組構造体１により、コンテンツ構造体Ｃ１〜Ｃ９を、フレーム構造体６のマス目Ｓ１〜Ｓ９に対して自在に固定することができる。そしてコンテンツを新しいものに交換する場合や、コンテンツを移動させたい場合でも、コンテンツ構造体Ｃ１〜Ｃ９を着脱することで容易にコンテンツを交換し又は移動することができる。
【００３５】
また、コンテンツ構造体Ｃをマス目Ｓに固定するための固定構造を用いてフレーム構造体６の内側からコンテンツ構造体Ｃをフレーム構造体６に固定することで、固定構造が外部から視認出来なくなり、フレーム構造体６の美観を高めることができる。
【００３６】
また、固定構造を、複数のマス目において同一構造を有するものとし、コンテンツ構造体Ｃに対してフレーム構造体６の厚さ方向の力を作用させることでコンテンツ構造体Ｃを固定し、又はコンテンツ構造体Ｃの固定を解除する構成とすることで、容易にコンテンツ構造体Ｃの固定を解除し、コンテンツ構造体Ｃを取り外すことができる。
【００３７】
〔変形例〕
図１０は、骨組構造体の変形例を示す斜視図である。先述の例では、フレーム構造体６は、柱Ｐと梁Ｂとが格子状が組まれた板状部材によって形成されているものとした。これに対して変形例による骨組構造体１’は、格子状に組まれたフレーム２６を２個備えている。フレーム構造体６’を形成する２個のフレーム２６は、全てのマス目が同一形状になるように同一の格子形状を有していても良い。また、２個のフレーム２６は、一部のマス目が同一形状になるように、又は全てのマス目が異なる形状となるように、異なる格子形状を有していても良い。２個のフレーム２６は、フレーム構造体６’の厚さ方向に間隔をもって配置される。フレーム構造体６’を２個のフレーム２６とすることにより、フレーム２６同士の間隔の調整を行ってフレーム構造体６全体の厚みを確保できる。また、２個のフレーム２６の間を空けられるようにすることにより、例えば先述した開き戸Ｃ９に替えて、スライド式の扉を用いることができる。この場合、スライド式の扉を開いたときに、扉が２枚のフレーム２６の間に収まるように扉を設置する。また、２個のフレーム２６の間を空けられるようにすることにより、コンテンツ構造体Ｃとしてある程度の奥行が要求される、例えば棚のような家具を用いることができる。
【００３８】
〔第２の実施形態〕
次に、本発明の第２の実施形態について説明する。第２の実施形態による骨組構造体は、第１の実施形態による骨組構造体に加えて、コンテンツ構造体に電気を供給するための給電線を備えている。なお、第２の実施形態による骨組構造体は、第１の実施形態による骨組構造体と同一の構成を有している箇所があるため、同一の構成を有している箇所については詳細な説明を省略する。
【００３９】
図１１は、第２の実施形態による骨組構造体を示す正面図である。図１１に示すように、骨組構造体３１には、S1電力により駆動する電動コンテンツ構造体ＣＥが取り付けられる。骨組構造体３１は、コンテンツ構造体ＣＥに電気を供給するための給電線３２を備えている。
【００４０】
電動コンテンツ構造体ＣＥとしては、上述した薄型テレビ、照明器具に加えて、各種家電製品、自動ドア、商業施設等で用いられるデジタル情報サイネージ、通路の誘導灯がある。また、電動コンテンツ構造体ＣＥとして、指紋認証、顔認証等のセキュリティ機能が付いた扉を用いてもよい。この場合、扉の奥側（骨組構造体の奥側）に収納部を取り付けることで、骨組構造体にセーフティーボックスの機能を持たせられる。
【００４１】
給電線３２は、電源Ｖから供給された電力を、マス目に固定されている電動コンテンツ構造体ＣＥに供給する。このとき用いられる電源Ｖは、骨組構造体３１の外部に設けられた電源であっても良いし、骨組構造体３１に電動コンテンツ構造体ＣＥとして組み込まれた蓄電池であっても良い。給電線３２は、例えば基板上に印刷された導線、又は柱若しくは梁の表面に直接印刷された配線によって構成されている。このような給電線３２は、骨組構造体３１のフレーム構造体３４の柱Ｐ及び梁Ｂに沿って延びるように、柱Ｐ及び梁Ｂに固定されている。より具体的には給電線３２は、フレーム構造体３４のマス目Ｓを構成する柱Ｐの側面又は梁Ｂの上面若しくは下面に沿って配置されている。
【００４２】
給電線３２を配置する場合、給電線３２を上端又は下端の梁に沿って水平に延ばしてから、柱Ｐと梁Ｂの交点から柱に沿って垂直に延ばすことが好ましい。特に、電動コンテンツ構造体ＣＥとして、扉のような垂直方向に長い長方形を有するものを用いる場合、この電動コンテンツ構造体ＣＥが固定されるマス目には梁Ｂが設けられない可能性がある。したがって、給電線３２を、上端又は下端の梁Ｂに沿って水平に延ばしてから、柱Ｐに沿って垂直に延ばすことにより、電動コンテンツ構造体ＣＥとして扉を固定した場合でも給電線３２をフレーム構造体３４の隅々まで張り巡らすことができる。
【００４３】
また、骨組構造体３１は、マス目Ｓ内に給電用コネクタ３６を備えており、給電用コネクタ３６は給電線３２と電気的に接続されている。給電用コネクタ３６は、全てのマス目Ｓに設けられていても良く、また一部のマス目Ｓに設けられていても良い。
【００４４】
また、第２の実施形態では、電動コンテンツ構造体ＣＥが電気製品用のアタッチメント３８である場合には、この電動コンテンツ構造体ＣＥは、給電用コネクタ３６と電気的に接続可能な受電用コネクタ４０を備えている。給電用コネクタ３６と受電用コネクタ４０は、フレーム構造体３４の雌部材１８と電動コンテンツ構造体ＣＥの雄部材２０とを位置合わせしたときに係合するように配置されている。そして受電用コネクタ４０は、アタッチメント３８に設けられたコンセント４２に電気的に接続されている。そして電気製品をアタッチメント３８に固定する際には、電気製品のプラグ４４をアタッチメント３８のコンセント４２に差し込む。
【００４５】
電気製品が固定されたアタッチメント３８をマス目に固定する場合には、アタッチメント３８の複数の雄部材２０と、フレーム構造体３４の複数の雌部材１８とを位置合わせすると同時に、アタッチメント３８の受電用コネクタ４０と、フレーム構造体３４の給電用コネクタ３６とを位置合わせする。そしてこの位置合わせをした状態で電動コンテンツ構造体ＣＥを、フレーム構造体３４の厚さ方向に向けて押し込む。これにより、電動コンテンツ構造体ＣＥをフレーム構造体３４に固定すると同時に、電動コンテンツ構造体ＣＥを給電線３２と電気的に接続することができる。
【００４６】
そして電気製品を含む電動コンテンツ構造体ＣＥを交換する場合には、第１の実施形態と同様に、電動コンテンツ構造体ＣＥをフレーム構造体３４の厚さ方向に向けて押し込む。これにより、雌部材１８と雄部材２０との係合が解除されると同時に、受電用コネクタ４０と給電用コネクタ３６との電気的接続も解除される。そして新しい電気製品と、電気製品に適合するアタッチメント３８を準備し、両者を固定する。そしてアタッチメント３８の雄部材２０と、フレーム構造体３４の雌部材１８とを位置合わせすると同時に、アタッチメント３８の受電用コネクタ４０とフレーム構造体３４の給電用コネクタ３６とを位置合わせする。そしてアタッチメント３８をフレーム構造体３４の厚さ方向に押し込むことで、アタッチメント３８をフレーム構造体３４に固定すると同時に、電気製品を給電線３２と電気的に接続することができる。
【００４７】
以上のように本発明の第２の実施形態によれば、複数のマス目Ｓをもつフレーム構造体３４と、フレーム構造体３４内部にて複数のマス目Ｓに、電源Ｖから供給された電力を伝える給電線３２と、を備える骨組構造体３１により、電気製品のようなコンテンツを、フレーム構造体３４のマス目Ｓに対して自在に固定することができる。そしてこのような構成によれば、電力を必要とするコンテンツを新しいものに交換する場合や、移動させたい場合でも、給電用コネクタ３６及び受電用コネクタ４０を用いることで、複雑な配線処理を行うことなく、容易に電動コンテンツ構造体ＣＥを交換し又は移動することができる。
【００４８】
次に、第２実施形態の変形例について説明する。図１２は、変形例による骨組構造体の正面図である。骨組構造体５１は、骨組構造体１及び骨組構造体３１と同様に複数の柱Ｐ１〜Ｐ５及び梁Ｂ１〜Ｂ５を組み立てて形成された複数のマス目Ｓ１〜Ｓ９を備える。各マス目Ｓ１〜Ｓ９には、電動コンテンツ構造体ＣＥが固定される。梁Ｂは、柱Ｐに設けられた複数の支持部５２で支持される。骨組構造体５１は、マス目で受け入れた電動コンテンツ構造体ＣＥに電力を供給する。骨組構造体５１には、電動コンテンツ構造体ＣＥを固定する固定構造が設けられている。この点については後述する。
【００４９】
骨組構造体５１の柱Ｐ１〜Ｐ５は、３条のレールを有するラインコンセント５３を内蔵する。ラインコンセント５３は、柱Ｐに沿って延びる。ラインコンセント５３の有効部（レールの開口部）は、柱Ｐの全長にわたって正面側に露出していることが好ましい。ラインコンセント５３は、電源に直接、又はコンバータを介して接続される。ラインコンセント５３のレールは、互いに平行に延び、中央のレールがアース線又は制御信号を入力するための制御線を構成する。中央のレールを制御線として用いることにより、骨組構造体５１と電動コンテンツ構造体ＣＥとを連動させ、又は別々の電動コンテンツ構造体ＣＥ同士を連動させられる。アースに隣接する２つのレールには、それぞれ異なった電圧が付与されている。このようなラインコンセント５３を用いることにより、駆動電圧が異なる２種類の電気製品を骨組構造体５１に組み込み、使用できる。この場合、コンバータを骨組構造体５１に内蔵してもよい。コンバータを介してラインコンセント５３を接続することにより、電源プラグを増設せずに既存の電源プラグを活用して、骨組構造体５１の位置を決定できる。
【００５０】
図示の例では、左側の柱Ｐ１に内蔵されたラインコンセント５３だけが電源Ｖに接続されている。隣接する柱Ｐのラインコンセント５３同士の間は、梁Ｂ内を通る給電線５５により接続され、一方の柱Ｐのラインコンセント５３から得た電力が、給電線５５を介して他方の柱Ｐのラインコンセント５３に供給される。
【００５１】
図１３は、骨組構造体の拡大断面図である。より具体的には図１３は、梁Ｂと柱Ｐの接続部の水平断面を示す。梁Ｂは、給電線５５を内蔵しており、給電線５５の両端には、柱Ｐのラインコンセント５３に差し込めるプラグ５７，５９が設けられている。プラグ５７，５９は、ラインコンセント５３のレール６１に対応する形状を有しており、支持部５２で梁Ｂを下から支持している状態で、ラインコンセント５３に差し込める位置に設けられる。梁Ｂの両端にプラグ５７，５９を配置することで、容易な操作で梁Ｂを介して隣接する柱Ｐに電力を供給できる。また、支持部５２を可動にしておけば、梁Ｂを骨組構造体５１に対して着脱自在にし、任意の位置で柱Ｐに取り付けられ、かつ柱Ｐ間に電力を供給できる。
【００５２】
図１４は、骨組構造体の拡大図であり、正面側から梁Ｂ及び柱Ｐの接続部を見た図である。梁Ｂは、ラインコンセント７１と、ラインコンセント７１と電気的に接続された２つのプラグ７３，７５とを備える。ラインコンセント７１は、梁Ｂに沿って延び、ラインコンセント７１の有効部は正面側に露出している。２つのプラグ７３，７５は、ラインコンセント７１に対して直角をなしており、背面側に向けて延びる。２つのプラグ７３，７５は、支持部５２で梁Ｂを支持している状態で、それぞれのプラグ７３，７５が対応する柱側のラインコンセント５３に差し込める位置に設けられる。梁側のプラグ７３，７５を柱側のラインコンセント５３に差し込むことで、柱側のラインコンセント５３から梁側のラインコンセント７１に給電できる。柱側のラインコンセント５３の有効部を正面側に設け、梁側のプラグ７３を背面側に設けることで、梁側のプラグ７３を柱側のラインコンセント５３に差し込む作業を骨組構造体５１の正面側から行える。
【００５３】
図１４に示す梁を用いた場合、骨組構造体の高さ方向全長にわたって延びず、部分的にしか延びない柱Ｐ２にも給電できる。例えば、図１２に示す柱Ｐ２を柱Ｐ１と電気的に接続する場合について説明する。柱Ｐ２は、有効部が正面側を向いたラインコンセント８１を内蔵しており、柱Ｐ２の少なくとも下端には背面側を向いたプラグ８３が配置される。柱Ｐ２に給電する場合、梁Ｂ３の一端側のプラグ７３を柱Ｐ１のラインコンセント５３に差し込む。次いで柱Ｐ２側のプラグ８３を、正面側から梁Ｂ３側のラインコンセント７１に差し込む。これにより、柱Ｐ１と柱Ｐ３を電気的に接続できる。このような構成により、柱Ｐ２を着脱自在にし、かつ任意の位置で梁Ｂ３に対して取り付けられる。また、この作業は骨組構造体５１の正面側から行える。
【００５４】
図１５は、電動コンテンツ構造体及び骨組構造体の斜視図である。図１５では、電動コンテンツ構造体ＣＥを背面側から示し、骨組構造体５１を正面側から示す。電動コンテンツ構造体ＣＥは電動コンテンツ９１に加えて、電動コンテンツ９１と電気的に接続されたラインコンセント用のプラグ９３と、骨組構造体５１に固定するための固定部としての磁性体プレート９５を備える。プラグ９３は、電動コンテンツ構造体ＣＥの側部に形成される。プラグ９３の幅方向の位置は、電動コンテンツ構造体ＣＥをマス目Ｓ１〜Ｓ９に正確に位置決めしたときにプラグ９３が柱側のラインコンセント５３に差し込めるよう決定される。プラグ９３の高さ方向の位置はどこでもよい。電動コンテンツ構造体ＣＥを骨組構造体５１に固定する固定構造としては、骨組構造体にマグネット式ラッチのマグネット９７を固定し、磁性体プレート９５を電動コンテンツ構造体ＣＥに固定し、両者を固定する構造を用いることができる。この場合、マグネット９７は、骨組構造体５１のマス目内の柱Ｐの正面側に沿って複数個設けられる。磁性体プレート９５は、電動コンテンツ構造体ＣＥの背面側に固定される。電動コンテンツ構造体ＣＥの厚み方向における磁性体プレート９５と、プラグ９３の位置は、磁性体プレート９５をマグネット９７に接触させたとき、プラグ９３がラインコンセント５３の奥まで差し込まれるよう決定される。これにより、電動コンテンツ構造体ＣＥを正確に位置決めしつつ、確実に電動コンテンツ構造体側のプラグ９３を柱側のラインコンセント５３に差し込める。
【符号の説明】
【００５５】
１    骨組構造体
６    フレーム構造体
１８    雌部材
２０    雄部材
２２    ラッチマグネット
２６    フレーム
３１    骨組構造体
３４    フレーム構造
Ｃ１〜Ｃ９    コンテンツ構造体
Ｓ１〜Ｓ９    マス目
【図１】
2020148085.tif 000003
【図２】
2020148085.tif 000004
【図３】
2020148085.tif 000005
【図４】
2020148085.tif 000006
【図５】
2020148085.tif 000007
【図６】
2020148085.tif 000008
【図７】
2020148085.tif 000009
【図８】
2020148085.tif 000010
【図９】
2020148085.tif 000011
【図１０】
2020148085.tif 000012
【図１１】
2020148085.tif 000013
【図１２】
2020148085.tif 000014
【図１３】
2020148085.tif 000015
【図１４】
2020148085.tif 000016
【図１５】
2020148085.tif 000017